(57)【要約】      （修正有）【課題】節水機能とマッサージ機能を両立させることで、家計、またはエネルギー資源の節約に貢献しながら、健康増進にも貢献する、節水＆マッサージグッズを提供する。【解決手段】クッション性のあるボール状の容器の中に、水より比重の重い物を入れる。重さを調整するために、その中に空洞のボールを混ぜる。（それは一つでもいいし、小さくして複数でもよい。）そして水に沈む重さのなかで、一番軽い重さにする。クッションの表面はマッサージ効果のためのイボ、または吸盤がついている。クッション性と表面のイボ、または吸盤で足に心地よいマッサージ効果を与える。使用するときは、ボールを浴槽に２つ入れて、二つの足をそれぞれのボールに乗せて、足を交互に動かすことで血行がよくなり、足のむくみ、疲れの解消になる。お湯の中で、血行が良くなっている状態でのマッサージ効果は高い。ボールを入れた体積分の節水ができる。【選択図】図５
2014000369.tif 000002
【特許請求の範囲】
【請求項１】
本発明は、体積と重さを持たした物に、節水機能とマッサージ機能を両立させるという、いままでになかった融合をさせ、マッサージ効果の一番高いお湯の中で、各家庭で手軽にマッサージが出来き、しかもそれが同時に節水効果を生むことができる、節水＆マッサージボール。
【請求項２】
本発明は、体積に重さを持たした物を、水に沈む重さの中で、一番軽いものにすることにより、水中でのボールの動きを動きやすくすることによって、ボールを簡単に動かしながらマッサージできるための、ボール内の重さを調整するための構造。
【請求項３】
本発明は、ボール内の構造を二重構造にしたことにより、表面は柔らかい素材を使用し、中には少し硬めの素材を使用しているので、柔らかめのマッサージにも、強めのマッサージにも対応出来る。
【請求項４】
この発明は、表面の形をイボにしたり、吸盤にしたり、また、その両方を組み合わせることで、多様なマッサージ感覚を味わうことができる。
【発明の詳細な説明】
【技術分野】
【０００１】この発明は、節水機能とマッサージ機能を両立させたもので、節約とマッサージを同時に提供するために考えられた、節水機能とマッサージ機能に関する。
【背景技術】
【０００２】現代までに考えられていたものは、節水機能は節水機能としての用途のみであり、マッサージ機能はマッサージ機能としての用途であることが一般的であった。節水機能とマッサージ機能を合わせるということは、仕組としては簡単であるが、こような目的で作られた物は、いままで世の中に存在しなかった。【０００３】日本人は温泉が好きである。それは「足を伸ばして入りたい」というのが本音だ。実は足を伸ばしたいというのは、足を上げたいという意味であり、足のむくみ、疲れを解消したいというのがその本音である。その一方現代は、省エネが見直されている。お湯の使用量を減らすことで節電になり、ＣＯ２削減にもつながる。現代はこの両方の要望にこたえるような商品の出現が待たれていた。
【発明の開示】
【発明が解決しようとする課題】
【０００４】この発明は、上述のような事情に鑑みて創案されたもので、節水とお風呂のマッサージ、リラクゼーションに役立つことを目的としている。
【課題を解決するための手段】
【０００５】この発明に係わる、節水機能とお風呂のマッサージ機能は、請求項１に記載したように、節水機能とマッサージ機能の両方を同時に使えるようにしたのが特徴である。【０００６】いままでのマッサージ機能とどこが違うかというと、いままでのマッサージボールは、お湯の中で使うことはなかったが、この発明は、水陸両用で使えるようになった点が違うところである。お湯に入って血行の良い状態で、家庭で手軽にマッサージできるということは、様々な機器を付けている家庭以外ではありえないことであった。また、一番軽い重さで水に沈むようにしたことで、水中でのボールの動きを動きやすくした。そのことによりボールの回転が楽になり、マッサージがしやすくなった。それと同時に、節水効果も得られるようにした。【０００７】節水機能とマッサージ機能を両立させるには、重さがポイントであった。水より比重の重たい物を中に入れるわけだが、水に沈みさえすれば良いと考えると、重すぎて普段の取り扱いが不便になるため、水に沈む重さで、一番軽い重さにする必要があった。そこでその中に、ゴムやプラスチック、鉄、発砲スチロールなどの素材による空洞を作り、重さ調整をすることにより、普段の取り扱いを楽にすることができる。空洞の場合は、浮力により上にあがる力が強くなるので、空洞は１つではなく、小さい空洞を複数作り、皮の部分（柔軟性、耐熱性のあるゴム）を厚めにし、その中に固定してもよい。［図２］水中では重たいものと軽いものが分離するので、空洞を小さくして皮の部分に固定するか、中身を分離しない素材にして、中身に固定する［図３］か考えなければならない。その場合も、空洞は１つでもいいし複数でもよい。また、逆に中身が水より軽い素材の場合は、空洞の部分を重しに変えればよい。重さ調整を、空洞にするか重しにするかは、マッサージ効果を考え、素材との兼ね合いで決めればよい。また、万が一、外側の皮が破損することも考えて、中身は安全な物を使用すべきである。【０００８】マッサージ効果を高めるために、表面は柔らかめの素材を使用し、肌にやさしいタッチであるのに対し、中身は少し硬めの素材を使い、強めのマッサージが出来るようにしておく。ソフトタッチとハードタッチの両方を味わえるようにしておく。【０００９】表面にイボを付けてマッサージ効果を高めるようにしてるが、イボを吸盤に変えてもよい。肌に吸いつくような感覚が、新しい感触のマッサージになる。この場合の吸盤は大きな吸盤より、小さなものの方がよい。また、イボと吸盤を半分ずつにすることで、多様なマッサージ感覚を味わうことが出来る。【００１０】この発明は、マッサージ機能をもたせるため、中に入れる物は、多少の弾力があるものを使用すると効果的である。また、外側の皮の部分は、ゴムなどの弾力性があり、温度にも強い素材を使うとよい。また、お風呂で使うため、表面は清潔感のあるもの、洗いやすいものにしておく必要がある。【００１１】このボールの色も、きれいであざやかな色を使うと良いと思う。また、光を発するように蛍光塗料など入れてつくると、エンターテイメント性が出て、いままで以上にお風呂が楽しいものになる。当然、色のバリエーションも広げておく必要がある。【００１２】  この���ールを長く使用すると、浮力が弱くなってくる場合がある。その時は、浮力を高めるために、ボールの表面に付いているイボの大きさと形が同じで、中が空洞になった浮力調整用のイボ［図４］を、ボールの表面に接着剤で取り付け、浮力調整ができる。
【発明を実施するための形態】
【００１３】この節水＆マッサージボールを使用する場合、お湯を入れる前でも、入れた後でもよいのだが、より節水効果を出すためには、お湯を入れる前にボールを２つ入れる。そのあとお湯を入れるわけだが、今まで入れていた量を入れると当然水位が高くなるので、すこし少なめに入れて今までと同じになる。またこのボールを３つ、４つと入れればさらに節水になるのでメリットは大きい。そしてお風呂に入るわけだが、入ったら足をボールの上にあげて疲れたところをマッサージするとよい。右足、左足を、それぞれ２つのボールの上にのせて、左右の足を交互に動かすとマッサージしやすくてよい。特に女性は血液が下にさがって足がむくんでしまうことが多い。だから、お湯に入って血行が良くなったところで、足を上げてのマッサージは足のむくみ、疲れの解消にはとてもよい。
また子供にとっては腰かけになったり、遊び道具になってお風呂がより楽しくなる。
【００１４】上述したように、この節水＆マッサージボールは、家計にやさしく、大人から子供まで楽しむことができ、楽しみながら健康になる。節水と遊びと健康、リラクゼーションを一体にした、お役立ちグッズである。
【００１５】この節水＆マッサージボールは、浴槽を洗う時にいっしょにその場で洗うことができ、洗ったらそのまま置いておけばよい。使い続けるがぎり収納の必要はない。
【００１６】この節水＆マッサージボールは、外側はゴムなどの柔軟性、耐熱性のある素材を使い、重さ調整には、ゴムやプラスチック、鉄、発砲スチロールなどの素材を使い、中身にはスライム、ねんど、シラス、砂、ビー玉などなどあらゆる素材を使って作ることが可能であるが、省エネ効果を考えると、断熱性のある素材、シラスバルーンやパーライトなども良いと思う。また、重たいものと軽いものの分離を防ぐには、中身にもゴムを使ってもよいと思う。具体的には、ゴムで２重構造にし、一番外側を断熱性のあるゴムを使用し、中身である内側のゴムの中に重さ調整用の空洞、または重しを組み込むことも考えられる。その数は、１つでもよいし、複数でもよい。また、もう一つの作り方として、全体をゴムなどの１つの素材で作り、その中に、重さ調整の空洞、または重しを組み込む方法もある。
また、マッサージボールの形状は、球形のほかに、一方向に転がるラグビーボール状や、円柱形、ひょうたん形なども考えられる。また、マッサージ機能以外にも、形を変えれば、子供の椅子などにも使える。
【発明の効果】
【００１７】この節水＆マッサージボールを使うことで、節水効果がある。１日、２日でも効果があるがそれが１年ともなると、その効果は大きなものになってくる。
【００１８】特にお湯の中で、血行が良くなった状態で、マッサージボールを使うことで、足のむくみ、疲れが取れ、健康増進に貢献する。また、子供にとっては、お風呂が楽しくなる効果がある。
【００１９】このボールは遊び心があるため、足湯や、温泉などに沈めておくと、多くの人が利用するようになると思う。
【図面の簡単な説明】
【図１】  全体の外観を示す図
【図２】  断面図１
【図３】  断面図２
【図４】  浮力調整用のイボの拡大断面図
【図５】  使用状態を示す図
【符号の説明】Ａ，      マッサージ効果を高めるイボ、または吸盤
Ｂ，      柔軟性、耐熱性のあるゴム
Ｃ、Ｅ    重さ調整の空洞、または重し
Ｄ，Ｆ    中身
Ｇ，      浮力調整のための空洞
【図１】
2014000369.tif 000003
【図２】
2014000369.tif 000004
【図３】
2014000369.tif 000005
【図４】
2014000369.tif 000006
【図５】
2014000369.tif 000007